(57)【要約】      （修正有）【課題】体の変化に応急的に義足ソケットをフィットさせて義足使用者の義足による歩行を容易にするとともに調節、修理、義足ソケットのコストダウンを可とする義足装着補助マットを提供する。【解決手段】義足装着補助マットは、抗菌ポリエステル塩化ビニール１００％で厚さ０．０１ｍｍ、０．１５ｍｍ、０．２０ｍｍ、０．３０ｍｍ、０．５０ｍｍ、１．００ｍｍの６種のシートで、直径１２ｃｍまでの義足装着補助マットを製作する。該円形基本義足装着補助マットから使用する義足ソケットの底面に合わせたサイズの義足装着補助マットを作る。義足ソケットの底穴を開けた部分から、ハサミ等で１．５ｃｍ〜２．０ｃｍ切ることにより密着度をソフトにさせる。６種の義足装着補助マット及びマットの組合せにより変化した体に微少な補正とソケットの内の空気の調節をはかり、義足のソケットを変化した体にフィットさせる。【選択図】図1
0003147623.tif 000002
【実用新案登録請求の範囲】
【請求項１】
加齢、季節、日々の時間帯などにより、体と義足ソケットが不一致となり圧迫部位、痛み、疲労の集中部位などが生じた時、変化した体に微少な補正をし、又、ソケット内の空気を調節して、変化した体に義足ソケットをフイットさせて、義足による歩行を容易にする為の、体の変化に応急的に対応する、義足装着補助マット。
【請求項２】
請求項１記載の義足装着補助マットの材質は、衛生面、柔軟性、吸着性から、抗菌ポリエステル塩化ビニール100％で厚さ、0.10mm、0.15mm、0.20mm、0.30mm、0.50mm、1.00mmの6種類を基本とする。
【考案の詳細な説明】
【技術分野】
【０００１】
義足のソケットの底面に収まる、6種類の義足装着マット及びその組合せ、又は図３のマットの組合わせにより、体に義足のソケットをフィットさせる為の、体の変化に、応急的に対応する義足装着補助マットです。
【背景技術】
【０００２】
交通事故、病気など、足の一部の切断の原因により、体の変化に違いはあるが、更に加齢、季節、日々の時間帯により、体が変化して義足が合わなくなりその調整、修理などに時間とコストがかかり、義足使用者の精神面、時間面、費用面の大きな負担となっているばかりか、不具合な義足を無理して使用して、体に傷をつけたり、又、義足を使用しなくなって多くの義足使用者は、義足に関して不満を持っている。
義足使用者は常に体に合った義足を求めている。
義肢装具は、オーダーメードが基本で何度も調節が必要である。
義足使用者は、義足製作所及び義肢装具士が少ないため、多様な要望に応えられていない。
義足使用者は、訓練用仮義足から本義足使用後のアフターケアを十分にしてほしいと願っている。
本義足使用者は、義足に関する調節、修理などの費用の負担を重く感じている。
義足使用者は、義肢装具士の出張相談に対する日時と費用、又、義足製作所までの不便さ、日時と費用についても負担を重く思っている。
【考案の開示】
【考案が解決しようとする課題】
【０００３】
加齢、季節、日々の時間帯、体調により変化した体に、義足のソケットがフィットする為の義足装着補助マットを使用することにより、義足使用者の精神面、身体的苦痛を和らげて、義足での歩行を容易にする。
フィットした後、義肢装具士による調節、義肢装具士の所属する業者の修理、製品製作のコストを削減することができる。
【課題を解決するための手段】
【０００４】
義足装着補助マットの材質は、衛生面、柔軟性、吸着性の面から抗菌ポリエステル塩化ビニール100％の透明色を基本とする。
厚さ、0.10mm、0.15mm、0.20mm、0.30mm、0.50mm、1.00mmの6種類を基本とす
る。大きさは、添付図面1を型紙として、上記の厚さ6種類の基本義足装着補助マットを作り、使用する義足のソケットの底の半径、直径を計り収める寸法で上記、6種類の義足装着補助マットを作る、又、状況により6種類の義足装着補助マットを組み合わせてフィットさせる、更には形、大きさの異なるものを作り試行する。
【考案を実施するための最良の形態】
【０００５】
添付図1を型紙として、厚さの種類6種類に軽く型紙シールを付着させておき使用する義足ソケットの底面に収まる寸法でマットを作ります。
義足ソケットの底面穴の大きさに合わせて添付図1中心円形をライナー式は、Ａの部分、吸着式は、Ｂの部分を切り取ります。
切り取った部分からＣの線のように、ハサミ等で1.5cm〜2.0cm切り線を入れ、ひだを作り、又その一部を切除などして装着面を調節する。
体の変化に合わせて、6種類のマット又は組合せをしてフィットを試みます。
又、ライナー式の場合図2と図3の組合せも試行しフィットしたら、理学療法士、義肢装具士などと相談をして調整、修理又はソケットの製作にかかります。
義足使用者は、自ら、自分の変化した体に最も合った義足の状態を見出して専門の医師、理学療法士、義肢装具士等と、相談して最良の方法を決定し実行することにより、義肢装具士がより正確な調節、修理、義足の製作ができることになり、又回数も減少し、義足使用者の費用の負担も軽減となる。
【実施例】
【０００６】
添付図2のようにライナー式義足ソケット底面サイズ、9cmに義足ソケットの底部の穴直径3cmに合わせて作った、6種類の義足装着補助マットのうち、厚さ任意の物を使い、午前中に義足のソケットの底に敷いて義足を装着し、試行してみて最良の義足装着補助マットを見出す。
状況により、他のマットを重ねて試行して、フィットする組合せを決定します。
場合によっては図3のような、形、サイズの違うマットを試行して決定します。
昼、又は夕方変調が出たら上記の作業を繰返し試行し決定します。
以上のようにして体の変化に合わせて組合せを作り対応します。
【０００７】
体の変化に合わせて、3つから5つの組合せマットを用意します、その後理学療法士、義肢装具士などと相談、検討の上、最良の方法を決定し、実行します。
【図面の簡単な説明】
【０００８】
【図１】直径12cmまでの義足装着補助マットが作れる型紙シールを付着させた、円形の基本義足装着補助マットである。
【図２】ライナー式義足のソケットの底部の直径が9cm、底部の穴の直径が3cmなどの義足装着補助マットである。
【図３】義足のソケットの底の直径が9cmの図2などに使用する。形の違う輪形の義足装着補助マットの見本である。
【図４】左大腿膝上から切断し、義足を装着した例である。
【図５】図4の義足、ソケット部の略図である。
【符号の説明】
【０００９】
Ｐ  直径12cmまでの義足装着補助マットの円形基本型紙の中心点である。
Ａ  ライナー式義足ソケットの底穴開け用の円形である。
Ｂ  吸着式義足ソケットの底穴開け用の円形である。
Ｃ  ライナー式義足装着補助マットの密着度をソフトにするためハサミ等で切りひだを作り更にはその、ひだ、をいくつか切除するための目安の線である。
Ｄ  切断した大腿部で、加齢、季節、日々の時間帯などにより、変化しやすい部分である。
Ｅ  義足のソケット部分であり体の変化に対応できない樹脂製の物がほとんどである。
Ｆ  義足の足膝下の部分である。
Ｇ  義足のソケット部の底の直径である。
Ｈ  Ｇの直径に合わせた義足装着補助マットを敷く底部である。
Ｉ  義足のソケット部の底面の穴の部分である。
【図１】
0003147623.tif 000003
【図２】
0003147623.tif 000004
【図３】
0003147623.tif 000005
【図４】
0003147623.tif 000006
【図５】
0003147623.tif 000007
【手続補正書】
【提出日】平成20年10月27日(2008.10.27)
【手続補正１】
【補正対象書類名】実用新案登録請求の範囲
【補正対象項目名】全文
【補正方法】変更
【補正の内容】
【実用新案登録請求の範囲】
【請求項１】
義足の使用者が、体の変化等による、体と義足ソケットの不一致を応急的に対応する、義足装着補助マットを作製する為の基本義足装着補助マットであり、抗菌ポリエステル塩化ビニール１００％で、厚さ、０．１０ｍｍ、０．１５ｍｍ、０．２０ｍｍ、０．３０ｍｍ、０．５０ｍｍ、１．００ｍｍの６種類を1セットとした円形の基本義足装着補助マット
【請求項２】
請求項１に記載する基本義足装着補助マットは、型紙シールが付着されており、使用する義足ソケットのサイズに合わせ、適宜、切り線(Ｃ)を入れ、ひだ、を作り、又その一部を切除等して、体に義足ソケットをフィットさせることを特徴とする、基本義足装着補助マット